(57)【要約】【課題】防塵性能を確保しつつ、軽量化及び低コスト化を実現することができる表示パネルの保持構造、及び、該表示パネルの保持構造を備えた表示装置を提供する。【解決手段】前側に表示面１ａを有する表示パネル１の後側を支持する支持部２と、表示パネル１の前側の周縁部を支持部２に押し付けて保持する保持部とを備え、該保持部は周方向に離隔した複数の金属部材を有しており、離隔方向で隣り合う複数の金属部材の間に樹脂部材４を設けてある。樹脂部材４は、支持部２に取り付け可能な樹脂板４１と、樹脂板４１の表面に接着した弾性シート４２とを有し、樹脂板４１が前側に対向配置されたキャビネット１０の内面に弾性スペーサー１２を介して当接してある。【選択図】図２
2011008110.tif 000002
【特許請求の範囲】
【請求項１】
前側に表示面を有する表示パネルの後側を支持する支持部と、前記表示パネルの前側の周縁部を該支持部に押し付けて保持する保持部とを備えた表示パネルの保持構造において、
前記保持部は周方向に離隔した複数の金属部材を有しており、離隔方向で隣り合う該複数の金属部材の間に樹脂部材を設けてあることを特徴とする表示パネルの保持構造。
【請求項２】
前記樹脂部材は、樹脂板と、該樹脂板の表面に接着した弾性シートとを有することを特徴とする請求項１に記載の表示パネルの保持構造。
【請求項３】
前記樹脂部材は、弾性樹脂板であることを特徴とする請求項１に記載の表示パネルの保持構造。
【請求項４】
前記弾性樹脂板は前記表示パネルに貼着してあることを特徴とする請求項３に記載の表示パネルの保持構造。
【請求項５】
前側に表示面を有する表示パネルと、請求項２に記載の表示パネルの保持構造と、該表示パネルを収容するキャビネットとを備え、
前記樹脂板の前側に前記キャビネットの内面が対向配置され、前記樹脂板は該キャビネットの内面に弾性スペーサーを介して当接してあることを特徴とする表示装置。
【請求項６】
前側に表示面を有する表示パネルと、請求項３又は４に記載の表示パネルの保持構造と、該表示パネルを収容するキャビネットとを備え、
前記弾性樹脂板の前側に前記キャビネットの内面が対向配置され、前記弾性樹脂板は該キャビネットの内面に弾性スペーサーを介して又は介さずに当接してあることを特徴とする表示装置。
【請求項７】
前側に表示面を有する表示パネルと、請求項３又は４に記載の表示パネルの保持構造と、該表示パネルを収容するキャビネットとを備え、
前記弾性樹脂板の表面に、滑り性に優れた樹脂シートが装着してあり、
前記弾性樹脂板の前側に、突起を有する前記キャビネットの内面が対向配置され、前記樹脂シートは該キャビネットの内面の突起に当接してあることを特徴とする表示装置。
【発明の詳細な説明】
【技術分野】
【０００１】
本発明は、表示パネルの損傷及び塵埃等の侵入を防止するための表示パネルの保持構造、及び該表示パネルの保持構造を備えた表示装置に関する。
【背景技術】
【０００２】
液晶ディスプレイ、プラズマディスプレイ等の表示装置では、装置の組み立て時に表示パネルに衝撃が加わらないように、また表示パネルの周縁部側への塵埃等の侵入を防止するために、表示パネルの周縁部を表示面側とその反対側から枠体で挟んで保持する表示パネルの保持構造が公知である。さらに、表示パネルの保持構造で表示パネルに加わる応力を軽減するために、表示面側の枠体を複数の金属部材に分割形成して、該複数の金属部材によって表示パネルの周縁部を表示面の反対側に配置した矩形枠体に押し付けて保持するようにした従来技術がある（特許文献１参照）。また、表示面側の枠体の前面を弾性部材を間に挟んで前キャビネットの内面に当接し、表示パネルの周縁部から表示装置内部への塵埃等の侵入を防止するようにした防塵構造も公知である。
【先行技術文献】
【特許文献】
【０００３】
【特許文献１】特開２００３−３４４８２６号公報
【発明の概要】
【発明が解決しようとする課題】
【０００４】
従来の表示パネルの保持構造では、表示パネルの周縁部を表示面側から押圧保持する複数の部材が金属部材であるため、重量が重くなり、また該金属部材は板金加工等によって製作されるため、コストが高くなるという問題があった。
【０００５】
本発明は、上述したような事情に鑑みてなされたものであり、防塵性能を確保しつつ、軽量化及び低コスト化を実現することができる表示パネルの保持構造、及び、該表示パネルの保持構造を備えた表示装置を提供することを目的とする。
【課題を解決するための手段】
【０００６】
本発明に係る表示パネルの保持構造は、前側に表示面を有する表示パネルの後側を支持する支持部と、前記表示パネルの前側の周縁部を該支持部に押し付けて保持する保持部とを備えた表示パネルの保持構造において、前記保持部は周方向に離隔した複数の金属部材を有しており、離隔方向で隣り合う該複数の金属部材の間に樹脂部材を設けてあることを特徴とする。
【０００７】
本発明によれば、前側に表示面を有する表示パネルの後側を支持部で支持し、表示パネルの前側の周縁部を周方向に離隔した複数の金属部材で支持部に押し付けることにより、表示パネルが該支持部と複数の金属部材とによって保持される。また表示パネルの前側の周縁部が、周方向に離隔した複数の金属部材と離隔方向で隣り合う複数の金属部材の間に設けた樹脂部材とによって被われるので、表示パネルの周縁部への塵埃等の侵入が防止される。
【０００８】
本発明に係る表示パネルの保持構造は、前記樹脂部材は、樹脂板と、該樹脂板の表面に接着した弾性シートとを有することを特徴とする。
本発明によれば、樹脂板の表面に接着した弾性シートが表示パネルの前側の周縁部に当接するように樹脂板を支持部に取り付ける。これにより、弾性シートが表示パネルの前側の周縁部に当接し、弾性変形して良好に密着するので、高い防塵性が得られる。
【０００９】
本発明に係る表示パネルの保持構造は、前記樹脂部材は、弾性樹脂板であることを特徴とする。
本発明によれば、弾性樹脂板が表示パネルの前側の周縁部に当接し、弾性樹脂板が弾性変形して表示パネルの前側の周縁部に良好に密着するので、高い防塵性が得られる。
【００１０】
本発明に係る表示パネルの保持構造は、前記弾性樹脂板は前記表示パネルに貼着してあることを特徴とする。
本発明によれば、表示パネルに貼着した弾性樹脂板が表示パネルの前側の周縁部に当接する。これにより、弾性樹脂板を支持部に取り付ける場合に必要な取り付け部分が不要になるので、周方向に直交する方向の弾性樹脂板の幅を狭く形成し、弾性樹脂板を一層軽く、少ない材料で安価に作製することができる。
【００１１】
本発明に係る表示装置は、前側に表示面を有する表示パネルと、本発明に係る表示パネルの保持構造と、該表示パネルを収容するキャビネットとを備え、前記樹脂板の前側に前記キャビネットの内面が対向配置され、前記樹脂板は該キャビネットの内面に弾性スペーサーを介して当接してあることを特徴とする。
【００１２】
本発明によれば、支持部に取り付けられた樹脂板が前側に対向配置したキャビネットの内面に弾性スペーサーを介して当接し、キャビネットの内面との当接により変形した弾性スペーサーが樹脂板の表面及びキャビネットの内面に良好に密着するので、樹脂板の表面とキャビネットの内面との間隙を通して表示パネルの表示面側の周縁部から装置内部へ侵入する塵埃等に対する防塵性が高くなる。
【００１３】
本発明に係る表示装置は、前側に表示面を有する表示パネルと、本発明に係る表示パネルの保持構造と、該表示パネルを収容するキャビネットとを備え、前記弾性樹脂板の前側に前記キャビネットの内面が対向配置され、前記弾性樹脂板は該キャビネットの内面に弾性スペーサーを介して又は介さずに当接してあることを特徴とする。
【００１４】
本発明によれば、弾性樹脂板が前側に対向配置したキャビネットの内面に弾性スペーサーを介して又は介さずに当接し、弾性スペーサーを介して当接した場合は当接により変形した弾性スペーサー及び弾性樹脂板が相互に良好に密着し合うとともに、弾性スペーサーがキャビネットの内面に良好に密着し、弾性スペーサーを介さずに当接した場合は当接により変形した弾性樹脂板が表示パネルの前側の周縁部及びキャビネットの内面に良好に密着するので、表示パネルの前側の周縁部とキャビネットの内面との間隙を通して装置内部へ侵入する塵埃等に対する防塵性が高くなる。
【００１５】
本発明に係る表示装置は、前側に表示面を有する表示パネルと、本発明に係る表示パネルの保持構造と、該表示パネルを収容するキャビネットとを備え、前記弾性樹脂板の表面に、滑り性に優れた樹脂シートが装着してあり、前記弾性樹脂板の前側に、突起を有する前記キャビネットの内面が対向配置され、前記樹脂シートは該キャビネットの内面の突起に当接してあることを特徴とする。
【００１６】
本発明によれば、弾性樹脂板の表面に装着した樹脂シートが弾性樹脂板の前側に対向配置したキャビネットの内面の突起に当接し、樹脂シートを介して受けた当接力により変形した弾性樹脂板が樹脂シートを間に挟んでキャビネットの内面の突起に密着するので、表示パネルの前側の周縁部とキャビネットの内面との間隙を通して装置内部へ侵入する塵埃等に対する防塵性が高くなる。また周囲の温度の変化等の要因により、キャビネットの内面の突起が弾性樹脂板に対して面方向に相対変位した場合、弾性樹脂板との間に挟まれた樹脂シートが滑り性に優れているので、樹脂シートに当接したキャビネットの内面の突起は面方向に滑り、キャビネットの内面の突起が弾性樹脂板に直接当接した場合よりも弾性樹脂板に加わるずれ応力が低減され、弾性樹脂板の変形、張り付け面からの剥がれ等が抑制される。
【発明の効果】
【００１７】
本発明に係る表示パネルの保持構造によれば、表示パネルの周縁部を表示面側から押圧保持する複数の金属部材の一部を樹脂部材に変更したので重量が軽くなり、また樹脂部材は型成形等によって安価に製作されるので、表示パネルの前側の周縁部に配置した該樹脂部材と複数の金属部材とによって防塵性能を確保しつつ、軽量化及び低コスト化を実現することができる表示パネルの保持構造が提供される。
【００１８】
加えて、樹脂部材が樹脂板と該樹脂板の表面に接着した弾性シートとを有する場合は、弾性シートが弾性変形して表示パネルの前側の周縁部に良好に密着し、防塵性が高くなる。
また、樹脂部材が弾性樹脂板である場合は、弾性樹脂板の変形により表示パネルの前側の周縁部に良好に密着し、防塵性が高くなる。
また、弾性樹脂板を表示パネルに貼着する場合は、弾性樹脂板の幅を狭く形成し、弾性樹脂板を一層軽く、少ない材料で安価に作製することができる。
【００１９】
本発明に係る表示装置によれば、本発明に係る表示パネルの保持構造を備えて軽量化及び低コスト化を実現しつつ、キャビネットの内面との当接により変形し、樹脂板の表面及びキャビネットの内面に良好に密着した弾性スペーサーによって、樹脂板の表面とキャビネットの内面との間隙を通して表示パネルの表示面側の周縁部から装置内部へ侵入する塵埃等に対する防塵性を高めることができる。
【００２０】
本発明に係る表示装置によれば、本発明に係る表示パネルの保持構造を備えて軽量化及び低コスト化を実現しつつ、キャビネットの内面との当接により変形し、表示パネルの表面とキャビネットの内面に良好に密着した弾性樹脂板及び弾性スペーサー、又は弾性樹脂板によって、表示パネルの表面とキャビネットの内面との間隙を通して表示パネルの表示面側の周縁部から装置内部へ侵入する塵埃等に対する防塵性を高めることができる。
【００２１】
本発明に係る表示装置によれば、本発明に係る表示パネルの保持構造を備えて軽量化及び低コスト化を実現しつつ、キャビネットの内面の突起との当接により変形した樹脂シート及び弾性樹脂板によって、表示パネルの表面とキャビネットの内面との間隙を通して表示パネルの表示面側の周縁部から装置内部へ侵入する塵埃等に対する防塵性を高めることができ、さらに温度条件の変化等によりキャビネットの内面の突起と弾性樹脂板とが相対的に変位する場合でも、弾性樹脂板に加わるずれ応力を低減し、弾性樹脂板の変形、弾性樹脂板の張り付け面からの剥がれ等の発生を抑制することができる。
【図面の簡単な説明】
【００２２】
【図１】本発明の実施の形態１に係る表示パネルの保持構造を備えた液晶表示装置の構造を示す断面図である。
【図２】図１の液晶表示装置の構造を示す断面図である。
【図３】図１の液晶表示装置の一部の構成を示す正面図である。
【図４】図１の液晶表示装置の一部の構成を示す正面図である。
【図５】本発明の実施の形態２に係る表示パネルの保持構造を備えた液晶表示装置の構造の要部を示す断面図である。
【図６】図５の液晶表示装置の一部の構成を示す正面図である。
【図７】図５に示す表示パネルの保持構造の変形構造を示す断面図である。
【図８】本発明の実施の形態３に係る表示パネルの保持構造を備えた液晶表示装置の構造の要部を示す断面図である。
【図９】本発明の実施の形態４に係る表示パネルの保持構造を備えた液晶表示装置の構造の要部を示す断面図である。
【発明を実施するための形態】
【００２３】
以下、本発明に係る表示パネルの保持構造を備えた表示装置の実施の形態を液晶表示装置に適用した場合を例に図面に基づいて説明する。
【００２４】
実施の形態１
図１は本発明の実施の形態１に係る表示パネルの保持構造を備えた液晶表示装置の構造を示す断面図、図２は図１の液晶表示装置の構造を示す断面図、図３及び図４は図１の液晶表示装置の一部の構成を示す正面図である。
【００２５】
本発明に係る液晶表示装置は、前側に表示面１ａを有し、横長で矩形状をなす表示パネル１と、表示パネル１の周縁部の前側に配置された複数の金属部材３及び樹脂部材４と、表示パネル１の周縁部の後側に配置された横長の矩形状の枠体２と、表示パネル１の後方側に配置され、表示パネル１の大きさに対応する光学シート６と、複数の照明用のランプ（不図示）及び反射シート７を内部に有するバックライト部８と、バックライト部８の後部側に配置された回路基板９等を備えている。
【００２６】
表示パネル１の周縁部の前側を覆う額縁部１０ａを有し、環状の矩形枠をなす前キャビネット１０と、前キャビネット１０の外周端部１０ｂに連結され、後方側を覆う後キャビネット１１とが設けられ、該前キャビネット１０及び後キャビネット１１内に、前記表示パネル１、光学シート６、バックライト部８等が収容されている。
【００２７】
複数の金属部材３は表示パネル１の周方向に離隔して配置され、離隔方向で隣り合う複数の金属部材３の間に樹脂部材４が設けてある。複数の金属部材３は、表示パネル１の周縁部の前側に位置する前板部３１と、該前板部３１の外周端部から後方へ屈曲した側板部３２とを有し、断面形状がＬ字形に形成してある。複数の金属部材３として、矩形の表示パネル１の１つの長辺に位置し、両端部で隣り合う各短辺側へ直角に屈曲した第１の金属部材３ａと、他の長辺の両端部に位置し、端部で隣り合う短辺側へ直角に屈曲した第２及び第３の金属部材３ｂ、３ｃと、第１の金属部材３ａの一端部と第２の金属部材３ｂとの間の短辺に位置する第４の金属部材３ｄとを設けている。
【００２８】
前記枠体２は、表示パネル１の周縁部の前側に位置する環板部２ａと、内周部で該環板部２ａの外周端に連なる筒状部２ｂとが一体成形されている。筒状部２ｂの前端部には周方向に間隔を置いて、複数の取付穴２ｃが開設され、各金属部材３ａ〜３ｄの外周側には枠体２の各取付穴２ｃの位置に対応して貫通孔３３が開設されている。雄螺子を貫通孔３３に挿通させて取付穴２ｃに捩じ込むことにより、各金属部材３ａ〜３ｄが枠体２に結合され、表示パネル１の後側が枠体２に支持されるとともに、表示パネル１の前側が各金属部材３ａ〜３ｄによって枠体２側に押し付けて保持される。
【００２９】
本実施形態では、矩形状の表示パネル１の４角部と、２つの長辺部のうちの１つ、及び２つの短辺部うちの１つを金属部材３で保持することで、表示パネル１に対する保持強度を確保するようにしている。但し、金属部材３の構成はこれに限らず、表示パネル１の剛性を考慮して適宜変更できる。
【００３０】
樹脂部材４として、第１の金属部材３ａの一端部と第３の金属部材３ｃとの間の短辺に位置する第１の樹脂部材４ａと、第２及び第３の金属部材３ｂ、３ｃの間の長辺に位置する第２の樹脂部材４ｂとを設けている。各樹脂部材４ａ，４ｂは、樹脂板４１と、該樹脂板４１の表面に接着した弾性シート４２とを有し、樹脂板４１の外周端部側に、枠体２の取付穴２ｃの位置に対応して貫通孔４３が開設されている。雄螺子を貫通孔４３に挿通させて取付穴２ｃに捩じ込むことにより各樹脂部材４ａ，４ｂの樹脂板４１が枠体２に結合され、弾性シート４２が表示パネル１の周縁部の前側に当接する状態となる。
【００３１】
樹脂板４１は、例えばサンデルタ（株）製の商品名サンモルフィー（サンデルタ（株）の登録商標）Ｖのポリカーボネートシート（厚さ０．８ｍｍ）である。弾性シート４２は、例えば日東電工製の商品名ＳＣＦ（日東電工の登録商標）の発泡シート（厚さ０．３ｍｍ）である。この材料は微細なセル構造を持ち柔軟性に優れたポリプロピレンフォームであり、１００μｍ程度の微小なクリアランスに対応することができる。その結果、弾性シート４２が当接した表示パネル１の周縁部への形状追従性が高く、防塵信頼性が向上する。
【００３２】
前キャビネット１０の額縁部１０ａの内面には、矩形環状の弾性スペーサー１２が設けてあり、各金属部材３ａ〜３ｄ及び各樹脂部材４ａ，４ｂの樹脂板４１は、弾性スペーサー１２を介して前キャビネット１０の額縁部１０ａの内面に当接している。弾性スペーサー１２は、例えばイノアック社製の商品名がポロン（ＰＯＲＯＮ）（イノアック社の登録商標）で厚さ１．５ｍｍ程度の高密度ウレタンフォーム（スポンジ）である。当接により弾性スペーサー１２が各金属部材３ａ〜３ｄの表面及び各樹脂部材４ａ，４ｂの樹脂板４１の表面に良好に追従し、防塵信頼性が向上する。
【００３３】
バックライト部８は、箱型をなすシャーシ８ａと、光学シート６の周縁部をシャーシ８ａの開口部に押し付けて保持するための取付枠８ｂとを備え、枠体２を図示しない取付手段にてシャーシ８ａに取り付けることにより、取付枠８ｂを枠体２及びシャーシ８ａの間に挟着してある。
【００３４】
実施の形態２
図５は本発明の実施の形態２に係る表示パネルの保持構造を備えた液晶表示装置の構造の要部を示す断面図、図６は図５の液晶表示装置の一部の構成を示す正面図、図７は図５に示す表示パネルの保持構造の変形構造を示す断面図である。
【００３５】
実施の形態２では、樹脂部材４が弾性樹脂板４Ａである点で実施の形態１と異なる。尚、説明は省略するが、図５〜図７において、図１〜図４と同一の構成には同一の符号を付している。
【００３６】
弾性樹脂板４Ａは、表示パネル１の周縁部及び枠体２の筒状部２ｂの前端部の表面に両面テープ１３にて貼着され、弾性スペーサー１４を介して（図５）、又は弾性スペーサー１４を介さずに（図７）前キャビネット１０の額縁部１０ａの内面に当接している。弾性樹脂板４Ａは前記ポロン（ＰＯＲＯＮ）（イノアック社の登録商標）で構成し、厚さ２．５ｍｍである。弾性スペーサー１４は、例えば東レ株式会社製：商品名ルミラー（東レ社の登録商標）のＰＥＴ（ポリエチレンテレフタレート）フィルムで構成し、厚さは０．２５ｍｍ又は０．５ｍｍである。尚、弾性樹脂板４Ａは、枠体２に両面テープ１３で張り付けているので前記樹脂板４１よりも幅が狭く形成できる。また、弾性樹脂板４Ａが配置された枠体２の筒状部２ｂの前端部には前記取付穴２ｃは設けていない。
【００３７】
実施の形態３
図８は本発明の実施の形態３に係る表示パネルの保持構造を備えた液晶表示装置の構造の要部を示す断面図である。実施の形態３では、弾性樹脂板４Ｂが表示パネル１に両面テープ１３にて貼着してある点で、実施の形態２と異なる。尚、説明は省略するが、図８において、図５〜図７と同一の構成には同一の符号を付している。弾性樹脂板４Ｂは前記ポロン（ＰＯＲＯＮ）（イノアック社の登録商標）で構成し、厚さ２．０ｍｍである。また、図６に破線で示すように、弾性樹脂板４Ｂは枠体２の筒状部２ｂには貼着してないので、実施の形態２の弾性樹脂板４Ａよりもさらに幅が狭く形成できる。
【００３８】
実施の形態４
図９は本発明の実施の形態４に係る表示パネルの保持構造を備えた液晶表示装置の構造の要部を示す断面図である。実施の形態４では、弾性樹脂板４Ｂの表面に、滑り性に優れた樹脂シート５が装着してある点で、実施の形態３と異なる。弾性樹脂板４Ｂと樹脂シート５とは両面テープ１３にて接着してある。尚、説明は省略するが、図９において、図８と同一の構成には同一の符号を付している。
【００３９】
樹脂シート５は、東レ株式会社製：商品名ルミラー（東レ社の登録商標）のＰＥＴ（ポリエチレンテレフタレート）フィルムで構成し、厚さは０．２５ｍｍである。弾性樹脂板４Ｂが樹脂シート５を介してキャビネット１０の内面に設けた突起１０ｃに当接している状態で温度が変化すると、熱膨張率の違いにより、弾性樹脂板４Ｂとキャビネット１０の突起１０ｃとが相対変位するが、ＰＥＴ（ポリエチレンテレフタレート）フィルムは表面が滑らかで滑り性に優れているので、樹脂シート５に当接したキャビネット１０の突起１０ｃが樹脂シート５の表面に対して面方向に滑ることによって相対変位が吸収される。その結果、弾性樹脂板４Ｂとキャビネット１０の突起１０ｃとが直接当接して大きな変位量で相対変位し、弾性樹脂板４Ｂが損傷し、又は表示パネル１の接着面から剥がれるようなことが避けられる。
【００４０】
前述の実施の形態１〜４では、本発明に係る表示パネルの支持構造を液晶表示装置の表示パネルを支持する構造に適用したが、液晶表示装置以外のプラズマディスプレイ等の表示装置の表示パネルを支持する構造に適用できる。
【符号の説明】
【００４１】
１        表示パネル
１ａ      表示面
２        枠体（支持部）
３        金属部材（保持部）
４        樹脂部材
４１      樹脂板
４２      弾性シート
４Ａ      弾性樹脂板
４Ｂ      弾性樹脂板
５        樹脂シート
１０      キャビネット
１０ｃ    突起
１２      弾性スペーサー
１４      弾性スペーサー
【図１】
2011008110.tif 000003
【図２】
2011008110.tif 000004
【図３】
2011008110.tif 000005
【図４】
2011008110.tif 000006
【図５】
2011008110.tif 000007
【図６】
2011008110.tif 000008
【図７】
2011008110.tif 000009
【図８】
2011008110.tif 000010
【図９】
2011008110.tif 000011